(57)【要約】      （修正有）【課題】モジュール化オートフォーカス装置を提供する。【解決手段】モジュール化オートフォーカス装置は、パッケージモジュール１と、複数のコイル２と、駆動素子３を含む。複数のコイル２と駆動素子３はパッケージ工程により、パッケージモジュール１に封入していて、かつ、複数のコイル２がそれぞれ駆動素子３と電気接続しており、パッケージモジュール１の内部にその上面と下面を貫く光路１３を設けられ、コイル２を間隔置きに光路１３の周りに配置し、パッケージ工程により駆動素子３とコイル２とをパッケージモジュール１に封入させ、モジュール化オートフォーカス装置を形成することで、加工手順を簡素化できると共に、製品の良品率も向上される。【選択図】図４
0003204631.tif 000002
【実用新案登録請求の範囲】
【請求項１】
パッケージモジュールと、複数のコイルと、駆動素子とを含むモジュール化オートフォーカス装置であって、
前記複数のコイルと前記駆動素子はパッケージ工程により、前記パッケージモジュールの内部に封入していて、前記複数のコイルをそれぞれ前記駆動素子と電気接続しており、前記パッケージモジュールの内部にその上面と下面を貫く光路を設け、前記コイルは間隔置きに前記光路の周りに配置することを特徴とするモジュール化オートフォーカス装置。
【請求項２】
前記パッケージモジュールは上面と下面の両側の付近場所に、それぞれ第１パッケージ体と第２パッケージ体を形成され、前記光路は前記第１パッケージ体と、前記第２パッケージ体の場所に、それぞれ第１収容空間と第２収容空間を形成していて、かつ、前記第２収容空間の内径を前記第１収容空間より大きく設けることによって、前記パッケージモジュールは前記光路の内部に係止面を形成し、前記係止面にて第１導電接点を設け、前記第１導電接点を前記駆動素子と電気接続し、前記第１収容空間の内部にフィルタを設け、前記第２収容空間の内部にイメージセンサーを設け、前記イメージセンサーと前記第１導電接点と電気接続することを特徴とする請求項１記載のモジュール化オートフォーカス装置。
【請求項３】
前記パッケージモジュールは上面と下面の両側に、それぞれ第１パッケージ体と、第２パッケージ体とを形成し、前記光路は前記第１パッケージ体と、前記第２パッケージ体の場所に、それぞれ第１収容空間と、第２収容空間とを形成し、前記第１収容空間の内部にフィルタを有することを特徴とする請求項１記載のモジュール化オートフォーカス装置。
【請求項４】
前記パッケージモジュールの表面に第２導電接点を有し、前記第２導電接点は前記駆動素子と電気接続することを特徴とする請求項１記載のモジュール化オートフォーカス装置。
【請求項５】
前記パッケージモジュールは上面と下面の両側に、それぞれ前記第１パッケージ体と、前記第２パッケージ体とを形成し、前記コイルに複数の導電プレートと、複数の導電柱を有し、前記導電プレートは切欠き状を形成する輪状のシート体であり、前記導電プレートは前記切欠きの両側にそれぞれ入力端と、出力端とを形成し、前記第１パッケージ体は複数の層を重ねた埋め込み樹脂層によって構成し、前記埋め込み樹脂層の内部に導電プレートと、導電柱を封入し、前記導電柱の一端を前記導電プレートの前記出力端に接続し、他端は前記埋め込み樹脂層から露出しており、前記導電プレートの底面が前記埋め込み樹脂層の底面か露出することによって、複数の層を重ねた前記埋め込み樹脂層と、その上方の前記埋め込み樹脂層の前記導電プレートに設ける前記入力端と、その下方の前記埋め込み樹脂層の前記導電柱と電気接続し、前記複数の導電プレートが串刺し接続を形成することを特徴とする請求項１記載のモジュール化オートフォーカス装置。
【考案の詳細な説明】
【技術分野】
【０００１】
本考案はモジュール化オートフォーカス装置に関し、特にレンズアセンブリの駆動に利用する焦点合わせまたはズームを行うモジュール化オートフォーカス装置に関する。
【背景技術】
【０００２】
デジタルカメラまたは携帯通信装置などの携帯式電子製品には、レンズモジュールを設けられ、レンズモジュールは主にイメージセンサーと、レンズアセンブリと、ボイスコイルモータ（Ｖｏｉｃｅ  ｃｏｉｌ  ｍｏｔｏｒ）によって構成される。ボイスコイルモータによって、レンズアセンブリをイメージセンサーから引き離せるか近づけさせ、焦点合わせ（ａｕｔｏｆｏｃｕｓ）またはズーム（ｚｏｏｍ）機能を実現する。なお、現在のボイスコイルモータのコイルは中空状のベース体に固定し、さらに係るベース体の外側に蓋体によりベース体を被せて置き、コイルの保護を図られている。
【先行技術文献】
【特許文献】
【０００３】
【特許文献１】特表２０００−５１０２７５号公報
【考案の概要】
【考案が解決しようとする課題】
【０００４】
しかし、この種のやり方は以下の欠点を残る。
イ、イメージセンサーと、コイルと、レンズアセンブリとをそれぞれ制御
装置に電気接続しなければならないことから、製造するときに相当な困難を引き起こすため、現在のやり方では、バスケーブルを用いて繋ぐことがほとんどであり、製造プロセスが複雑、しかも良品率もなかなか上がらない現実である。
【０００５】
ロ、ボイスコイルモータがベース体及び蓋体により位置を固定するときに、ベース体と蓋体はレーザー溶接または分注接着などの方式で行われるため、製造プロセスが同じく複雑にかわらないほか、小型化ができず、現在のデジタルカメラまたは携帯通信装置が軽薄短小流れに乗ることが不利である。
【０００６】
このため、前述公知技術の課題と欠点を解決することは、関係業者の改善目標となっている。
【課題を解決するための手段】
【０００７】
本考案の主な目的は、パッケージ工程により駆動素子と、コイルをパッケージモジュールに封入して、モジュール化オートフォーカス装置を形成した後に、オートフォーカス装置をコイルに電気接続することで、加工プロセスを簡素化できると共に、製品の良品率も向上できる。さらに、オートフォーカス装置にデジタルカメラまたは携帯通信装置に繋ぐと、デジタルカメラまたは携帯通信装置は駆動素子を介して、コイルを制御することができ、デジタルカメラまたは携帯通信装置の素子の設置を簡素化できると共に、デジタルカメラまたは携帯通信装置の設計者に便利を提供できる。
【０００８】
本考案の次の目的は、パッケージモジュールの表面に設ける導電接点をイメージセンサーと電気接続し、オートフォーカス装置をデジタルカメラまたは携帯通信装置の回路基板に接続して置くと、デジタルカメラまたは携帯通信装置はオートフォーカス装置を介して、コイルとイメージセンサーを直接制御することができるため、デジタルカメラまたは携帯通信装置の設計者にさらなるの便利を提供できる。
【０００９】
前述目的を達成するため、本考案のモジュール化オートフォーカス装置は、パッケージモジュールと、複数のコイルと、駆動素子とを含む。複数のコイルと駆動素子はパッケージ工程により、パッケージモジュールの内部に封入し、複数のコイルをそれぞれ駆動素子と電気接続し、パッケージモジュールの内部にはその上面と下面を貫く光路を設け、コイルは間隔置きに光路の周りに取り付ける。
【００１０】
前述モジュール化オートフォーカス装置によれば、そのうち、パッケージモジュールの上面と下面の両側の付近場所は、それぞれ第１パッケージ体と第２パッケージ体を形成し、光路は第１パッケージ体と、第２パッケージ体の場所に、それぞれ第１収容空間と第２収容空間を形成していて、かつ、第２収容空間の内径を第１収容空間より大きく設けることによって、パッケージモジュールは光路の内部に係止面を形成し、係止面にて第１導電接点を設け、第１導電接点を駆動素子と電気接続し、第１収容空間の内部にフィルタを設け、第２収容空間の内部にイメージセンサーを設け、イメージセンサーと第１導電接点と電気接続を形成する。
【考案の効果】
【００１１】
よって、本考案が公知技術の不足点と欠点を解決できるほか、効果が増強される主な技術手段は、以下の通りである。
【００１２】
イ、本考案は、パッケージモジュール１にコイル２及び駆動素子３を封入することによって、コイル２と駆動素子３とをモジュール化に仕上げ、本考案をデジタルカメラまたは携帯通信装置に繋いで使用する場合、デジタルカメラまたは携帯通信装置は駆動素子３を介してコイル２を直接に制御でき、デジタルカメラまたは携帯通信装置を簡素化できる。
【００１３】
ロ、本考案はパッケージモジュール１をパッケージ工程により、コイル２を封入し、コイル２の取り付けプロセスを簡素化させ、製品の良品率を向上し、生産コストを軽減し、コイル２を有効に小型化し、コイル２は限られた空間により多くの巻き数を得ることができ、磁気吸着力を向上できる。
【００１４】
ハ、本考案はパッケージモジュール１に設ける第１導電接点１５をイメージセンサー４に電気接続し、デジタルカメラまたは携帯通信装置を直接パッケージモジュール１に封入された駆動素子３により、コイル２と、イメージセンサー４とを制御でき、デジタルカメラまたは携帯通信装置の設計者に便利を提供できる。
【図面の簡単な説明】
【００１５】
【図１】本考案のオートフォーカス装置の立体外観を示す図である。
【図２】本考案のオートフォーカス装置もう一つ角度の立体外観図である。
【図３】本考案のオートフォーカス装置の上視図である。
【図４】本考案のオートフォーカス装置の断面を示す図である。
【図５】本考案のコイルによる立体外観図である。
【図６】本考案の本考案の第１パッケージ体にコイルを封入するときの動作を示す図（その１）である。
【図７】本考案の本考案の第１パッケージ体にコイルを封入するときの動作を示す図（その２）である。
【図８】本考案の本考案の第１パッケージ体にコイルを封入するときの動作を示す図（その３）である。
【図９】本考案の本考案の第１パッケージ体にコイルを封入するときの動作を示す図（その４）である。
【図１０】本考案のオートフォーカス装置をレンズアセンブリに繋いで使用するときの断面を示す図。
【図１１】本考案のオートフォーカス装置のコイルによるもう一つの実施例の上面図である。
【考案を実施するための形態】
【実施例】
【００１６】
図１ないし図５を参照する。図からはっきり分かるように、本考案はパッケージモジュール１と、複数のコイル２と、駆動素子３、イメージセンサー４と、フィルタ５とを含む。
【００１７】
そのうち、パッケージモジュール１の上面と下面両側の付近場所に、それぞれ第１パッケージ体１１と、第２パッケージ体１２とを形成し、パッケージモジュール１の内部に上面と下面を貫く光路１３を設けられ、光路１３は第１パッケージ体１１と、第２パッケージ体１２に、それぞれ第１収容空間１３１と、第２収容空間１３２を形成していて、かつ第２収容空間１３２の内径を第１収容空間１３１より大きく形成することによって、パッケージモジュール１が光路１３の内部に係止面１４を形成し、係止面１４にて第１導電接点１５を設け、パッケージモジュール１外側の表面に第２導電接点１６を設ける。
【００１８】
さらに、パッケージモジュール１は集積回路のパッケージ工程により仕上げられ、複数のコイル２と駆動素子３をパッケージモジュール１の内部に封入させ、第２パッケージ体１２を仕上げるときは、駆動素子３を合わせて第２パッケージ体１２の内部に封入して置き、第１パッケージ体１１を仕上げるときは、コイル２を第１パッケージ体１１の内部に封入した上、コイル２を間隔置きに光路１３の周りに配置し、コイル２を駆動素子３に電気接続し、第１導電接点１５と、第２導電接点１６を駆動素子３に電気接続させ、イメージセンサー４を第２収容空間１３２の内部に設けると共に、第１導電接点１５と電気接続し、フィルタ５を第１収容空間１３１の内部に設け、フィルタ５は例えばブルーガラス（赤外線吸収ガラス）フィルタであっても良い。
【００１９】
さらに、コイル２は複数の隔離層が層を重ねた導電プレート２１と、上下に導電プレート２１と隣り合わせて設ける導電柱２２と、を含む。そのうち、導電プレート２１は切欠き２１１を形成する輪状のシート体であり、導電プレート２１は切欠き２１１の両側にそれぞれ入力端２１２と、出力端２１３を形成し、それぞれの導電柱２２の上端を導電柱２２上方側の導電プレート２１の入力端２１２に接続し、他端を導電柱２２下側の導電プレート２１の出力端２１３に接続することによって、複数の導電プレート２１を串刺し状に形成する。さらに、コイル２の最上側の導電プレート２１の出力端２１３と、一番下側の導電プレート２１の出力端２１３と入力端２１２を、駆動素子３に電気接続されている。
【００２０】
引き続き、図５ないし９を参照しながら、コイル２と、第１パッケージ体１１の封入構造及び封入方法を詳しく説明する。コイル２を封入するときは、図６に示すように、まず、導電プレート２１を第２パッケージ体１２の表面に固定してから、導電柱２２の一端を導電プレート２１の出力端２１３に電気接続する。導電柱２２は例えば、金属柱体を直接導電プレート２１に接続するか、または物理蒸着法（スパッタリング、Ｐｈｙｓｉｃａｌ  Ｖａｐｏｒ  Ｄｅｐｏｓｉｔｉｏｎ）により、導電プレート２１の表面に形成する。図７に示すように、埋め込み樹脂層１１１を導電プレート２１及び導電柱２２に被せて置き、引き続き図８に示すように、埋め込み樹脂層１１１を導電プレート２１及び導電柱２２に被せるとき、埋め込み樹脂層１１１の表面はまったく平らでないため、表面加工方式（例えば、研磨など）により、埋め込み樹脂層１１１の表面が平らになるように加工すると共に、導電柱２２の表面を埋め込み樹脂層１１１に露出させる。さらに、図９に示すように、導電プレート２１と導電柱２２を封入した埋め込み樹脂層１１１の表面にて、もう一つの埋め込み樹脂層１１１により、導電プレート２１と導電柱２２に封入プロセスを施し、埋め込み樹脂層１１１に備える導電プレート２１の入力端２１２底面を下方埋め込み樹脂層１１１の導電柱２２に接続させ、このステップを繰り返すことによって、コイル２を第１パッケージ体１１に封入するができる。簡単に言えば、第１パッケージ体１１は複数の層を重ねた埋め込み樹脂層１１１によって構成され、それぞれの埋め込み樹脂層１１１の内部に導電プレート２１と導電柱２２を封入し、導電柱２２の一端を導電プレート２１の出力端２１３に接続し、他端を埋め込み樹脂層１１１から露出していて、かつ、導電プレート２１の底面を埋め込み樹脂層１１１の底面から露出させ、複数の層を重ねた埋め込み樹脂層１１１と、その上方の埋め込み樹脂層１１１の導電プレート２１に設けられた入力端２１２と下方埋め込み樹脂層１１１の導電柱２２と電気接続し、複数の導電プレート２１に串刺し接続を形成する。
【００２１】
引き続き図１と、図３と、図１０とを参照する。本考案を使用するときには、レンズアセンブリ６をパッケージモジュール１の第１パッケージ体１１の上方側に取り付ける。レンズアセンブリ６がベース体６１を有し、ベース体６１の底面をコイル２の真正面に永久磁石６２を設け、ベース体６１の内部にレンズ６３を設け、ベース体６１の底面に第１パッケージ体１１と接続する弾性的懸架装置６４を設ける。
【００２２】
以上説明のとおり、デジタルカメラまたは携帯通信装置が直接に第２導電接点１６を介して、駆動素子３に電気接続することができる。さらに、一般のデジタルカメラまたは携帯通信装置に設ける揺動センサー素子は、例えば、角度センサー（Ｇｙｒｏ  Ｓｅｎｓｏｒ）、加速度センサー（Ａｃｃｅｌｅｒｏｍｅｔｅｒ）などは、揺動センサー素子より手振れを検知すると、駆動素子３によってコイル２を制御し、コイル２と永久磁石６２にマグネット効果により、永久磁石６２によってベース体６１を駆動してＸ軸またはＹ軸に傾けさせ、焦点合わせが行われる。さらに、デジタルカメラまたは携帯通信装置が駆動素子３を介して、イメージセンサー４を駆動すると共に、イメージセンサー４で捕捉された画像を受信する。もし、デジタルカメラまたは携帯通信装置に揺動センサー素子を設けていない場合であっても、本考案によれば、揺動センサー素子をパッケージモジュール１の内部に封入した上、駆動素子３と電気接続させ、デジタルカメラまたは携帯通信装置は揺動センサー素子によって、手振れを検知できる。さらに、コイル２を用いてレンズアセンブリ６を移動させ、オートフォーカス機能またはズーム機能の具体的な手段は当業者であれば、知り得ることであり、本考案の重要点でないため、ここでの説明を省略する。
【００２３】
引き続き図５、図１０と図１１を参照する。図１１からはっきり分かるように、本考案のコイル２’が八の字を形成しているに対し、図５に示すコイル２と、図１１に示すコイル２’は第１半部２１’と第２半部２２’を有しており、第１半部２１’と、第２半部２２’と、永久磁石６２の電磁誘導の働きによって、より精確にベース体６１をＸ軸またはＹ軸への傾きを制御できる。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１ パッケージモジュール
１１ 第１パッケージ体
１１１ 埋め込み樹脂層
１２ 第２パッケージ体
１３ 光路
１３１ 第１収容空間
１３２ 第２収容空間
１４ 係止面
１５ 第１導電接点
１６ 第２導電接点
２ コイル
２１  導電プレート
２１１  切欠き
２１２  入力端
２１３  出力端
２２  導電柱
２’  コイル
２１’  第１半部
２２’  第２半部
３  駆動素子
４  イメージセンサー
５  フィルタ
６  レンズアセンブリ
６１  ベース体
６２  永久磁石
６３  レンズ
６４  弾性的懸架装置
【図１】
0003204631.tif 000003
【図２】
0003204631.tif 000004
【図３】
0003204631.tif 000005
【図４】
0003204631.tif 000006
【図５】
0003204631.tif 000007
【図６】
0003204631.tif 000008
【図７】
0003204631.tif 000009
【図８】
0003204631.tif 000010
【図９】
0003204631.tif 000011
【図１０】
0003204631.tif 000012
【図１１】
0003204631.tif 000013